(57)【特許請求の範囲】
【請求項１】
本体と、硬貨の真偽を識別するセンサコイルモジュールと、から構成され、
前記本体には、硬貨が移動する通路が設けられ、前記通路両側壁には貫通孔が設けられ、前記貫通孔内側壁面の通路から近い場所には貼合凸縁が、および、通路から離れた場所には複数の凸板とが設けられ、前記各凸板の通路から離れた壁面の任意の箇所には掛合部が設けられ、
前記センサコイルモジュールには、前記本体貫通孔に設置される複数の第１のコイルセンサが設けられ、前記第１のコイルセンサは、基台と、前記貫通孔に設置され、前記貼合凸縁に支持される蓋体と、前記基台に巻設されるコイルとから構成され、
前記基台は円筒状の外側壁面を有し、外側壁面の内側に収容空間が形成され、該収容空間の内側壁面には複数の掛合溝が設けられ、
前記基台の外側壁には複数の貼合板が湾曲して延伸した前記貫通孔の凸板に貼合される掛合板が設けられ、
前記複数の掛合板の任意の端部には前記凸板の掛合部に掛合される鉤部が設けられ、
前記蓋体の前記基台と隣合う一側には複数の支持凸縁が設けられ、
前記支持凸縁内側には前記基台の掛合溝と掛合される複数の係合部が設けられることを特徴とする硬貨処理装置の構造。
【請求項２】
前記複数の凸板の通路から離れた壁面の任意の箇所には、基台の鉤部を導入する導入斜面が設けられることを特徴とする請求項１記載の硬貨処理装置の構造。
【請求項３】
前記本体の通路後側は、下方に湾曲し、底部に前下方に傾斜する返却通路が接続され、前記通路と前記返却通路とが接続される位置には伸縮して硬貨を通過させて収納するか、または退出させる電磁弁が設けられることを特徴とする請求項１記載の硬貨処理装置の構造。
【請求項４】
前記本体の通路および返却通路には、硬貨が通過したかどうかを検知するセンサモジュールが設けられることを特徴とする請求項３記載の硬貨処理装置の構造。
【請求項５】
前記センサコイルモジュールには、複数の第２のコイルセンサが設けられ、前記本体の通路両側壁の貫通孔後方に前記第２のコイルセンサが設置される位置決め溝が設けられ、前記位置決め溝中央には前記第２のコイルセンサが通路に露出するための穿孔が設けられ、前記位置決め溝の穿孔外側には前記第２のコイルセンサを掛合して位置決めする複数の位置決め掛合部が設けられることを特徴とする請求項１記載の硬貨処理装置の構造。
【請求項６】
前記基台の内側の収容空間の内側壁面には対接孔が、および、前記蓋体の支持凸縁内の中央には柱状の対接部が設けられ、前記柱状の対接部と対接孔とがお互いに対接され、前記対接孔および対接部の側壁にはお互いに対接され、前記基台および蓋体を同時に回動させる複数の凹溝および位置決め部が設けられることを特徴とする請求項１記載の硬貨処理装置の構造。
【請求項７】
前記複数の貼合板の蓋体から離れた壁面の任意の端部には、位置規制ブロックが設けられ、前記複数の貼合板と前記複数の掛合板との間の連続して湾曲する部分には前記鉤部が前記凸板の掛合部から脱落するのを防止する位置規制部が形成されることを特徴とする請求項１記載の硬貨処理装置の構造。
【請求項８】
前記本体前側には、パネルが設けられ、前記パネルには前記通路および返却通路に対応した投入口および返却口が設けられることを特徴とする請求項１記載の硬貨処理装置の構造。
【発明の詳細な説明】
【技術分野】
【０００１】
本発明は、硬貨処理装置の構造に関し、特に、組立が簡単である硬貨処理装置の構造に関する。
【背景技術】
【０００２】
現代の自動販売機、電動玩具および遊戯装置には全て投入された硬貨の額面および真偽を判断できる硬貨処理装置が設けられている。硬貨処理装置の硬貨の額面および真偽を判断するときの正確性は業者の生き残りおよび消費者の利益保護にとって重要であり、更には社会における金融秩序の維持に関わる。現在、業者の多くは壺形コアコイルを使用して金属硬貨の感磁素子を製造している。金属材料は強磁体（鉄、銅およびニッケルなど）と弱磁体（アルミニウムおよび鉛など）に分類される。その感磁方法はコイルが導通された後、共振周波数が生成され、各種金属材料から製造された硬貨を感応できる磁場が形成される。硬貨材料の透磁率の違いによって磁場が生成する渦電流が変化するので、所定の周波数共振の下、異なる金属材料の硬貨がコイルを通過したとき、そのインダクタンス値は異なる程度で変化する。一般に壺形コアコイルのインダクタンス量の誤差値は５〜１０％である。また、壺形コアコイルは破損したり、温度変化によってインダクタンス値に誤差が生じたりする。
【０００３】
ある犯罪者は硬貨処理装置の特性および構造を研究し、硬貨に穴を開け、透明で切れにくい糸を硬貨の穴に通し、その硬貨を硬貨処理装置に投入し、硬貨処理装置が硬貨投入を感知した後、糸を引っ張って投入した硬貨を感磁素子上方まで引き出し、再び糸を緩めて感磁素子を通過させ、上述の動作を繰り返して投入金額の不正を行なう。以上のような不正が発生し、その被害額が多額な場合、コストの見地から業者は不正が行なわれた自動販売機、電動玩具または遊戯装置などを撤去せざるを得ず、通常の消費者にとってはそれらが撤去されることによって利便性が失われる。
【０００４】
上述のように従来技術による硬貨処理装置は多くの問題および欠点を有し、如何にして犯罪者が投入金額の不正を行なうのを防止し、業者および消費者の権利および利益を保護するかは本発明の発明者および当該業者が改善したかった問題であった。
【特許文献１】特開２００３−２２７１３３号公報
【発明の開示】
【発明が解決しようとする課題】
【０００５】
本発明の主な目的は、本体およびセンサコイルモジュールから構成され、本体の通路両側壁には貫通孔が設けられ、センサコイルモジュールには基台および蓋体から構成される複数の第１のコイルセンサが設けられ、基台の掛合溝に蓋体の係止部が掛合され、基台および蓋体は通路側壁から本体の貫通孔内に設置され、基台および蓋体は貫通孔の凸板および貼合凸縁にそれぞれ貼合され、基台および蓋体を一緒に回動させることによって、基台の掛合板は貫通孔の凸板方向に移動し、掛合板一側の鉤部が凸板の掛合部に掛合して位置決めされ、それによって第１のコイルセンサは本体の通路側壁上から脱落したり、回動することがなく、組立時その他の工具を使用して固定する必要がないので、迅速且つ簡単に組立てることができ、生産量を高め、作業時間を節約することができる硬貨処理装置の構造を提供することにある。
【課題を解決するための手段】
【０００６】
本発明の発明者は上述の従来技術の欠点に鑑み、関連資料を収集し、本業界における長年の経験、幾度もの試作および修正から、ついに簡単に組立てることができる硬貨処理装置の構造に想到した。
本発明の硬貨処理装置の構造の特徴は、本体通路の両側壁に貫通孔が設けられ、センサコイルモジュールの複数の第１のコイルセンサが基台と蓋体とが対接された後、上述の貫通孔内に設置され、基台と蓋体と回動することによって位置決めされるので、組立が簡単にしたことである。
【０００７】
すなわち、上述の目的を達成するために、請求項１の発明は、本体と、硬貨の真偽を識別するセンサコイルモジュールと、から構成され、本体には、硬貨が移動する通路が設けられ、通路両側壁には貫通孔が設けられ、貫通孔内側壁面の通路から近い場所および通路から離れた場所には貼合凸縁および複数の凸板が設けられ、凸板の通路から離れた壁面一側には掛合部が設けられ、センサコイルモジュールには、本体貫通孔に設置される複数の第１のコイルセンサが設けられ、第１のコイルセンサは、基台と、貫通孔に設置され、貼合凸縁に支持される蓋体と、基台に巻設されるコイルと、から構成され、基台の収容空間内には複数の掛合溝が設けられ、基台の外側壁には複数の貼合板が湾曲して延伸した貫通孔の凸板に貼合される掛合板が設けられ、複数の掛合板の一側には凸板の掛合部に掛合される鉤部が設けられ、蓋体の基台と隣合う一側には複数の支持凸縁が設けられ、支持凸縁内側には基台の掛合溝と掛合される複数の係合部が設けられることを特徴とする硬貨処理装置の構造である。
【０００８】
請求項２の発明は、凸板の通路から離れた壁面の両側には、基台の鉤部を導入する導入斜面がそれぞれ設けられることを特徴とする請求項１記載の硬貨処理装置の構造である。
【０００９】
請求項３の発明は、本体の通路後側は、下方に湾曲し、底部に前下方に傾斜する返却通路が接続され、通路と返却通路とが接続される位置には伸縮して硬貨を通過させて収納するか、または退出させる電磁弁が設けられることを特徴とする請求項１記載の硬貨処理装置の構造である。
【００１０】
請求項４の発明は、本体の通路および返却通路には、硬貨が通過したかどうかを検知するセンサモジュールが設けられることを特徴とする請求項３記載の硬貨処理装置の構造である。
【００１１】
請求項５の発明は、センサモジュールには、複数の第２のコイルセンサが設けられ、本体の通路両側壁の貫通孔後方に第２のコイルセンサが設置される位置決め溝が設けられ、位置決め溝中央には第２のコイルセンサが通路に露出するための穿孔が設けられ、位置決め溝の穿孔外側には第２のコイルセンサを掛合して位置決めする複数の位置決め掛合部が設けられることを特徴とする請求項１記載の硬貨処理装置の構造である。
【００１２】
請求項６の発明は、基台の収容空間および蓋体の支持凸縁内の中央には、お互いに対接される対接孔および柱状の対接部が設けられ、対接孔および対接部の側壁にはお互いに対接され、基台および蓋体を同時に回動させる複数の凹溝および位置決め部が設けられることを特徴とする請求項１記載の硬貨処理装置の構造である。
【００１３】
請求項７の発明は、貼合板の蓋体から離れた壁面一側には、位置規制ブロックが設けられ、貼合板と掛合板との間の連続して湾曲する部分には鉤部が凸板の掛合部から脱落するのを防止する位置規制部が形成されることを特徴とする請求項１記載の硬貨処理装置の構造である。
【００１４】
請求項８の発明は、本体前側には、パネルが設けられ、パネルには通路および返却通路に対応した投入口および返却口が設けられることを特徴とする請求項１記載の硬貨処理装置の構造である。
【発明の効果】
【００１５】
本発明の本体通路の両側壁に貫通孔が設けられる硬貨処理装置によれば、センサコイルモジュールの複数の第１のコイルセンサが基台と蓋体とが対接された後に貫通孔内に設置され、基台と蓋体と回動することによって位置決めされるので、センサコイルモジュールの組立は基台と蓋体とを対接し、両者を同時に回動させるだけでよく、第２のコイルセンサも本体の位置決め溝内に挿入するだけで固定され、その他の工具を使用して固定する必要がないので、組立が簡単であり、作業時間を短縮して生産効率を高めることができる。
【発明を実施するための最良の形態】
【００１６】
本発明の目的、特徴および効果を示す実施例を図に沿って詳細に説明する。
図１は本発明の一実施例を示す斜視図である。図２は本発明の一実施例を示す分解斜視図である。図３は本発明の一実施例を示す分解斜視図である。図４は本発明の一実施例を示す分解斜視図である。図５は本発明の一実施例を示すブロック図である。図から分かるように、本発明の硬貨処理装置の構造は、本体１、センサコイルモジュール２、センサモジュール３、電磁弁４およびパネル５から構成される。
【００１７】
主に図１から図５に示すように、本体１には硬貨６が前部から後部に移動する傾斜状の通路１１が設けられ、通路１１上方には回動可能な防犯フック１１１が設けられる。通路１１両側壁にはセンサコイルモジュール２が設置される貫通孔１１２が設けられ、貫通孔１１２の通路１１に近い内側壁面には階段状の貼合凸縁１１２１が設けられる。通路１１から離れた内側壁面には複数の凸板１１３が設けられ、凸板１１３の通路１１から離れた側壁面には、基台２２の鉤部２２６１を導入する導入斜面１１３１および掛合部１１３２がそれぞれ設けられる。通路１１両側壁の貫通孔１１２後方には位置決め溝１１４が設けられ、位置決め溝１１４中央には通路１１まで貫通した穿孔１１４１が設けられる。位置決め溝１１４の穿孔１１４１外側には複数の位置決め掛合部１１４２が設けられる。通路１１後側は下方に湾曲し、底部に前下方に傾斜した返却通路１２が接続される。本体１内にはセンサコイルモジュール２、センサモジュール３および電磁弁４と電気的に接続されるマイクロプロセッサ１３が設けられ、マイクロプロセッサ１３はオシレータ１４、電源モジュール１５および状態指示灯１６と接続される。
【００１８】
主に図４に示すように、センサコイルモジュール２は複数の第１のコイルセンサ２１および第２のコイルセンサ２５を有し、第１のコイルセンサ２１は基台２２、蓋体２３およびコイルを組立てて構成される。基台２２の前記基台は円筒状の外側壁面を有し、外側壁面の内側に収容空間２２１が形成され、該収容空間２２１の内側壁面には複数の掛合溝２２２が設けられ、掛合溝２２２の一側壁は蓋体２３方向に徐々に拡大する形状である。基台２２の収容空間２２１中央には環状の対接孔２２３が設けられ、対接孔２２３側壁には複数の凹溝２２４が設けられる。基台２２の円筒状の外側壁には複数の貼合板２２５が設けられ、貼合板２２５の蓋体２３から離れた壁面側には位置規制ブロック２２５１が設けられる。位置規制ブロック２２５１に近い一側には位置規制部２２５２が湾曲して設けられる。貼合板２２５上には凸塊２２５３が設けられる。位置規制部２２５２には掛合板２２６が湾曲して設けられる。
基盤２３には、本体１凸板１１３の掛合部１１３２を掛合する複数の掛合板２２６の鉤部２２６１が設けられるが、この掛合板２２６は蓋体２３及び貼合板２２５との反対側には鉤部２２６１が形成される(図４参照)。位置規制ブロック２２５１と隣の位置規制部２２５２との間の外側壁面には略Ｔ型の支持部２２７が設けられる。蓋体２３の基台２２と隣合う側には複数の切欠２３１１を有する支持凸縁２３１が設けられ、切欠２３１１内側には徐々に縮小する形状の係止部２３２が複数設けられ、蓋体２３の支持凸縁２３１内の中央には柱状の対接部２３３が設けられ、対接部２３３外側壁には複数の位置決め部２３４が設けられる。
【００１９】
図２に示すように、センサモジュール３の本体１通路１１の第２のコイルセンサ２５の下方には防犯センサ３１が設けられ、通路１１底部および返却通路１２内側には受領センサ３２および返却センサ３３が設けられる。
【００２０】
電磁弁４には本体１通路１１の受領センサ３２上方で伸縮するゲート４１が接続され、ゲート４１には硬貨６が上方から下方に通過する貫通溝４２(図８参照)が設けられ、ゲート４１の電磁弁４から離れた側壁には下方に傾斜し、返却通路１２と接続されるストッパ板４３が設けられ、ゲート４１の返却通路１２と隣合う貫通溝４２側壁には防犯板４４が上方に延伸して設けられる。
【００２１】
図１に示すように、パネル５の上方には本体１通路１１に対応した投入口５１が設けられ、投入口５１下方には本体１返却通路１２に対応した返却口５２が設けられる。投入口５１と返却口５２との間には押圧して硬貨６の返却を行なうボタン５３が設けられる。
【００２２】
主に図２、図３、図４に示すように、上述の本体１とセンサコイルモジュール２とを組立てるとき、第１のコイルセンサ２１の基台２２と蓋体２３とを対接し、蓋体２３の支持凸縁２３１を基台２２の収容空間２２１内に進入させ、蓋体２３の複数の係止部２３２を対応する基台２２の掛合溝２２２に挿入し、掛合固定する。蓋体２３の対接部２３３を基台２２の対接孔２２３内に挿入し、対接部２３３外側の複数の位置決め部２３４を対応する対接孔２２３外側壁の複数の凹溝２２４にスライド挿入することによって基台２２と蓋体２３とが接合され、その後、基台２２外側にコイル２４を巻設する。
【００２３】
次に、第１のコイルセンサ２１を本体１通路１１側壁から貫通孔１１２内に設置し、蓋体２３を貫通孔１１２の貼合凸縁１１２１に支持する。基台２２の複数の貼合板２２５は本体１貫通孔１１２内の複数の凸板１１３の通路１１隣の一側壁に貼合され、基台２２の複数の掛合板２２６は複数の凸板１１３間の隙間に位置し、基台２２を回動させて掛合板２２６を凸板１１３隣の導入斜面１１３１方向に移動させることによって掛合板２２６の鉤部２２６１と本体１凸板１１３の掛合部１１３２とを掛合する。更に、第２のコイルセンサ２５を本体１の位置決め溝１１４内に設置し、位置決め溝１１４の複数の位置決め掛合部１１４２に第２のコイルセンサ２５一側壁面を掛合し、第２のコイルセンサ２５の他側壁面は位置決め溝１１４の穿孔１１４１によって通路１１一側に露出し、本発明の組立が完成する。
【００２４】
第１のコイルセンサ２１の基台２２は鉤部２２６１によって本体１の掛合部１１３２と掛合固定され、基台２２と蓋体２３とが固定されるので、第１のコイルセンサ２１が組立時と反対の方向の力を受けて脱落するのを防止することができ、第１のコイルセンサ２１が組立方向に力を受けるとき、基台２２の位置規制部２２５２が本体１凸板１１３の導入斜面１１３１に近い端面で位置規制されるので、第１のコイルセンサ２１を本体１上に確実且つ安定的に設置することができる。組立は基台２２と蓋体２３とを対接し、両者を同時に回動させるだけでよく、第２のコイルセンサ２５も本体１の位置決め溝１１４内に挿入するだけで固定され、その他の工具を使用して固定する必要がないので、組立が簡単であり、作業時間を短縮して生産効率を高めることができる。
【００２５】
第１のコイルセンサ２１を取り外すとき、基台２２および蓋体２３を組立時と反対方向に回動し、第１のコイルセンサ２１を本体１の貫通孔１１２内から通路１１方向に押し出すことで取り外すことができる。取り外しを簡単に行なうことができるので、第１のコイルセンサ２１が故障したり破損したりして交換する必要があるときの作業時間が短くて済む。
【００２６】
第１のコイルセンサ２１の基台２２および蓋体２３の面積は大きいので、コイル２４の感応範囲を増大することができ、第１のコイルセンサ２１が硬貨６の材質または大きさなどを検知するときの正確性を高めることができる。
【００２７】
図２は本発明の一実施例を示す分解斜視図である。図４は本発明の一実施例を示す分解斜視図である。図５は本発明の一実施例を示すブロック図である。図７は本発明による硬貨処理装置に硬貨を投入する前の動作を示す模式図である。図８は本発明による硬貨処理装置に硬貨を投入したときの動作を示す模式図である。図９は本発明による硬貨処理装置に硬貨を投入したときの動作を示す模式図である。図１０は本発明による硬貨処理装置の硬貨がゲートを越えたときの動作および硬貨を返却するときの動作を示す模式図である。
これらの図２、４、５、７，８、９、１０から分かるように、硬貨６はパネル５の投入口５１から通路１１に投入された後、通路１１内を後方に転がるか滑動し、硬貨６が防犯フック１１１を押圧したとき、防犯フック１１１を下方に回動させることができ、硬貨６が防犯フック１１１を通過した後、防犯フック１１１は上方に回動して復位する。硬貨６がセンサコイルモジュール２を通過したとき、センサコイルモジュール２は硬貨６の真偽および額面を識別し、硬貨６が本物であると識別された場合、通路１１に沿って下方に滑落し、電磁弁４に設けられたゲート４１の貫通溝４２に進入する。硬貨６が偽物であると識別されたとき、電磁弁４はゲート４１を移動させてストッパ板４３と返却通路１２とを接続し、偽造硬貨は傾斜状のストッパ板４３および返却通路１２を経由してパネル５の返却口５２から排出される。
【００２８】
図２は本発明の一実施例を示す分解斜視図である。図３は本発明の一実施例を示す分解斜視図である。図４は本発明の一実施例を示す分解斜視図である。図５は本発明の一実施例を示すブロック図である。図６は本発明による硬貨処理装置の動作を示すフローチャート図である。図８は本発明による硬貨処理装置に硬貨を投入したときの動作を示す模式図である。図９は本発明による硬貨処理装置に硬貨を投入したときの動作を示す模式図である。図１０は本発明による硬貨処理装置の硬貨がゲートを越えたときの動作および硬貨を返却するときの動作を示す模式図である。
【００２９】
これらの図から分かるように、本体１は自動販売機に設置される。使用時は下記の図６のフローチャートに示すようにステップ１００〜ステップ１１０の工程が、図７〜１０の装置の作動状態を伴って順次行なわれる。
ステップ１００：起動する。システム、および入出力を初期化する。
ステップ１０１：硬貨６が投入されたかどうかを検査する。投入された場合、ステップ１０２を行ない、投入されていない場合ステップ１０１を継続する。
ステップ１０２：センサコイルモジュール２の第１のコイルセンサ２１および第２のコイルセンサ２５によって硬貨６のデータを読取り、第１のコイルセンサ２１および第２のコイルセンサ２５が読取ったデータを順番に比較する。
ステップ１０３：硬貨６の真偽および額面を判断する。本物の場合、ステップ１０４を行ない、偽物の場合、ステップ１０６を行なう。
ステップ１０４：硬貨６がセンサモジュール３の受領センサ３２を通過したかどうかを検査する。通過した場合、ステップ１０５を行ない、通過していない場合、ステップ１０９を行なう。
ステップ１０５：額面信号、測定信号および通信プロトコルを送信し、再びステップ１０１を行なう。
ステップ１０６：電磁弁４を起動することによってゲート４１を移動させ、硬貨６を返却する。
ステップ１０７：硬貨６がセンサモジュール３の返却センサ３３を通過したかどうかを検査する。通過した場合、ステップ１０１を行ない。通過していない場合、ステップ１０８を行なう。
ステップ１０８：所定の時間を越えたかどうかを検査する。そして、所定の時間を超えた場合にはステップ１０１に戻り、所定の時間を超えていない場合にはステップ１０７に戻る。
ステップ１０９：センサモジュール３の防犯センサ３１によって硬貨６に糸が取り付けられていないかどうかを検査する。取り付けられている場合、ステップ１０１を行ない、取り付けられていない場合、ステップ１１０を行なう。
ステップ１１０：所定の時間を越えたかどうかを検査する。超えた場合、ステップ１０１を行ない、超えていない場合はステップ１０４を行なう。
【００３０】
上述のステップから分かるように、硬貨６を本体１の通路１１に投入した後、センサコイルモジュール２が硬貨６に対して真偽識別を行い、センサコイルモジュール２の第１のコイルセンサ２１および第２のコイルセンサ２５が硬貨６の材質および大きさの測定を行い、取得したデータをマイクロプロセッサ１３に送信して内部に保存されている所定値と比較し、硬貨６の真偽および額面を判断する。硬貨６が本物であると判断されたとき電磁弁４ゲート４１の貫通溝４２を通過し、センサモジュール３の受領センサ３２を通過し、マイクロプロセッサ１３は受領信号を受信する。硬貨６が偽物のとき、電磁弁４ゲート４１一側のストッパ板４３に接触し、ストッパ板４３が返却通路１２に移動し、偽造硬貨がセンサモジュール３の返却センサ３３を通過するとき、マイクロプロセッサ１３に返却信号を送信する。マイクロプロセッサ１３が受領信号を受信したか、返却信号を受信したかどうかによって硬貨６が順調に移動しているかを知ることができ、対応した処理を行なうことができる。
【００３１】
また、従来技術による硬貨処理装置においては、硬貨６上に孔を設け、釣り糸、ナイロン糸、デンタルフロスまたはその他の糸を硬貨６の孔に設置し、硬貨６がセンサコイルモジュール２を通過した後、糸を引っ張って硬貨６を本体１の通路１１から引き上げ、何度もセンサコイルモジュール２を通過させる不正が行なわれることがあるが、本発明においては、電磁弁４のゲート４１下方にセンサモジュール３の受領センサ３２が設けられているので、硬貨６がゲート４１を確実に通過したかどうかを知ることができ、マイクロプロセッサ１３が所定時間内に硬貨６が受領センサ３２を通過したという信号を受信しない場合、センサモジュール３の防犯センサ３１が検知を行い、硬貨６に糸が設置されている場合、防犯センサ３１が微弱な信号を検知し、マイクロプロセッサ１３が硬貨６に糸が設けられているかどうかを判断できるので、不正行為による被害を防止できる。
【００３２】
また、ある犯罪者は、弾性の板体をパネル５の返却口５２から本体１の返却通路１２に進入させ、板体をセンサモジュール３の受領センサ３２上方に進入させ、硬貨６が本物であると判断された後、硬貨６は板体上に落ち、板体に力を加えて弾性変形させて硬貨６を移動させ、センサモジュール３の受領センサ３２を通過させて受領信号をマイクロプロセッサ１３に送信させる。板体の弾性回復力を利用することによって硬貨６を上方に移動させ、板体に沿ってパネル５の返却口５２から排出させ、不正を行なう。しかし、本発明においては電磁弁４のゲート４１の返却通路１２隣の側壁上方に防犯板４４が設けられており、硬貨６を本物だと認識したとき、防犯板４４が貫通溝４２と返却通路１２とを隔離し、板体を返却通路１２からゲート４１の貫通溝４２上方に進入させないようにできるので、不正行為による被害を防止できる。硬貨６が偽物であると認識されたとき、電磁弁４はゲート４１を移動させ、ゲート４１側壁のストッパ板４３を返却通路１２と接続し、偽造硬貨をストッパ板４３および返却通路１２からパネル５の返却口５２にスムーズに移動させる。
【００３３】
図２は本発明の一実施例を示す分解斜視図である。図５は本発明の一実施例を示すブロック図である。図７は本発明による硬貨処理装置に硬貨を投入する前の動作を示す模式図である。
これらの図２、５，７から分かるように、本体１のマイクロプロセッサ１３にはセンサコイルモジュール２、センサモジュール３および電磁弁４が電気的に接続される以外に、オシレータ１４、電源モジュール１５および一つ以上の状態指示灯１６を電気的に接続することができる。オシレータ１４は硬貨６に対してインダクタンス値の共振測定を行なることができ、硬貨６の真偽判断の正確性を高めることができる。電源モジュール１５は本体１に運転に必要な電気を提供できる。マイクロプロセッサ１３がセンサコイルモジュール２、センサモジュール３またはオシレータ１４の信号を受信したり、システムの初期化を行なうときエラーが発生したり、運転中その他の状況が発生したりした場合、状態指示灯１６のランプに表示することができる。
【００３４】
硬貨６が通路１１内に詰まったり、投入した硬貨６を退出させたいとき、パネル５前側のボタン５３を押圧し、電磁弁４のゲート４１を移動させると、硬貨６をストッパ板４３の返却通路１２からパネル５の返却口５２に移動させることができ、それによって硬貨６を退出させることができる。
【００３５】
本発明は硬貨処理装置の構造を提供するものであり、センサコイルモジュール２の複数の第１のコイルセンサ２１を基台２２と蓋体２３とを対接し、蓋体２３の支持凸縁２３１内側の複数の係止部２３２を基台２２収容空間２２１内の複数の掛合溝２２２に掛合して位置決めし、基台２２外側にコイル２４を巻設し、通路１１の両側壁から複数の第１のコイルセンサ２１を本体１の貫通孔１１２内に設置し、蓋体２３を貫通孔１１２に設けられた貼合凸縁１１２１に支持し、基台２２と蓋体２３とを回動することによって、基台２２外側壁の複数の貼合板２２５から湾曲して延伸した掛合板２２６を本体１貫通孔１１２内側壁面の複数の凸板１１３に貼合させることができ、掛合板２２６の鉤部２２６１を凸板１１３の掛合部１１３２に掛合して位置決めすることによって、第１のコイルセンサ２１は本体１の貫通孔１１２に確実に設置されて緩んだり脱落したりしない。組立が簡単なので作業時間を節約でき、組立速度を高めて生産量を向上させることができる。
【００３６】
以上の説明は本発明の好適な実施例を示したものであり、本発明の特許請求の範囲を制限するものではなく、本発明の明細書および図面を運用した簡易な修飾および同等効果の変更は全て本発明の特許請求の範囲に含まれる。
【図面の簡単な説明】
【００３７】
【図１】本発明の一実施例を示す斜視図である。
【図２】本発明の一実施例を示す分解斜視図である。
【図３】本発明の一実施例を示す分解斜視図である。
【図４】本発明の一実施例を示す分解斜視図である。
【図５】本発明の一実施例を示すブロック図である。
【図６】本発明による硬貨処理装置の動作を示す流れ図である。
【図７】本発明による硬貨処理装置に硬貨を投入する前の動作を示す模式図である。
【図８】本発明による硬貨処理装置に硬貨を投入したときの動作を示す模式図である。
【図９】本発明による硬貨処理装置に硬貨を投入したときの動作を示す模式図である。
【図１０】本発明による硬貨処理装置の硬貨がゲートを越えたときの動作および硬貨を返却するときの動作を示す模式図である。
【符号の説明】
【００３８】
１  本体
１１  通路
１１１  防犯フック
１１２  貫通孔
１１２１  貼合凸縁
１１３  凸板
１１３１  導入斜面
１１３２  掛合部
１１４  位置決め溝
１１４１  穿孔
１１４２  位置決め掛合部
１２  返却通路
１３  マイクロプロセッサ
１４  オシレータ
１５  電源モジュール
１６  状態指示灯
２  センサコイルモジュール
２１  第１のコイルセンサ
２２  基台
２２１  収容空間
２２２  掛合溝
２２３  対接孔
２２４  凹溝
２２５  貼合板
２２５１  位置規制ブロック
２２５２  位置規制部
２２５３  凸塊
２２６  掛合板
２２６１  鉤部
２２７  支持部
２３  蓋体
２３１  支持凸縁
２３１１  切欠
２３２  係止部
２３３  対接部
２３４  位置決め部
２４  コイル
２５  第２のコイルセンサ
３  センサモジュール
３１  防犯センサ
３２  受領センサ
３３  返却センサ
４  電磁弁
４１  ゲート
４２  貫通溝
４３  ストッパ板
４４  防犯板
５  パネル
５１  投入口
５２  返却口
５３  ボタン
６  硬貨
【図１】
0004642089.tif 000002
【図２】
0004642089.tif 000003
【図３】
0004642089.tif 000004
【図４】
0004642089.tif 000005
【図５】
0004642089.tif 000006
【図６】
0004642089.tif 000007
【図７】
0004642089.tif 000008
【図８】
0004642089.tif 000009
【図９】
0004642089.tif 000010
【図１０】
0004642089.tif 000011